(57)【要約】【課題】  長方形旗をポールに昇降する旗保持具を提供する。【解決手段】  旗保持具は、ポールＰに固定される可動筒体１、可動筒体１に片持ち支持される横竿体２、及び第１乃至第３ガイド体３〜５で構成する。第１ガイド体３は、横梁体２の下側で横梁体２の先端側２Ａに取付けられ、旗吊下用ロープＲ１を横方向Ｂ１に移動自在に支持して、旗吊下用ロープＲ１の一方のロープ端側Ｒ１ａを上下方向Ａ１の下側に折返す。第２ガイド体４は、横竿体２の下側で横梁体２の支持側２Ｂに取付けられ、第１ガイド体からの旗吊下用ロープＲ１を横方向Ｂ１に移動自在に支持して、他方のロープ端Ｒ１ｂ側を上下方向Ａ１の下側に折返す。第３ガイド体３は、旗昇降用ロープＲ２の各ロープ端Ｒ２ａ，Ｒ２ｂ側を上下方向Ａ１の下側に折返して、旗昇降用ロープＲ２を上下方向Ａ１に移動自在に支持する。【選択図】  図１
0003202332.tif 000002
【実用新案登録請求の範囲】
【請求項１】
立設されたポールに外嵌され、前記ポールに沿った上下方向に摺動自在に配置される可動筒体と、
前記可動筒体に片持ち支持され、前記上下方向と直交する横方向に延在される横竿体と、
を備え、前記可動筒体を前記ポールに固定する旗保持具であって、
前記横竿体の下側に配置され、前記横竿体の先端部に取付けられ、旗吊下用ロープを前記横方向に移動自在に支持して、前記旗吊下用ロープの一方のロープ端側を前記上下方向の下側に折返す第１ガイド体と、
前記横竿体の下側で前記横竿体の支持側に配置され、前記横竿体又は前記可動筒体に取付けられ、前記第１ガイド体からの前記旗吊下用ロープを前記横方向に移動自在に支持して、前記旗吊下用ロープの他方のロープ端側を前記上下方向の下側に折返す第２ガイド体と、
前記横竿体の下側で前記横竿体の支持側に配置され、前記横竿体又は前記可動筒体に取付けられ、旗昇降用ロープの各ロープ端側を前記上下方向の下側に折返して、前記旗昇降用ロープを前記上下方向に移動自在に支持する第３ガイド体と、
を備えることを特徴とする旗保持具。
【請求項２】
前記第１ガイド体は、
前記横竿体の下側に配置され、前記上下方向及び前記横方向と直交方向の第１回転軸に回転自在に外嵌される第１滑車を有し、前記旗吊下用ロープを前記横竿体の先端側から前記第１滑車に巻掛けて、前記旗吊下用ロープの一方のロープ端側を前記上下方向の下側に巻返し
前記第２ガイド体は、
前記横竿体の下側に配置され、前記直交方向の第２回転軸に回転自在に外嵌される第２滑車を有し、前記第１滑車からの前記旗吊下用ロープを前記第２滑車に巻掛けて、前記旗吊下用ロープの他方のロープ端側を前記上下方向の下側に巻返し、
前記第３ガイド体は、
前記横竿体の下側に配置され、前記直交方向の第３回転軸に回転自在に外嵌される第３滑車を有し、前記旗昇降用ロープを前記上下方向の下側から前記第３滑車に巻掛けて、前記旗昇降用ロープの各ロープ端側を前記上下方向の下側に巻返す
ことを特徴とする請求項１に記載の旗保持具。
【請求項３】
前記第１滑車、前記第２滑車及び前記第３滑車は、
前記直交方向の滑車幅の中心点を、前記可動筒体の中心線及び前記横竿体の中心線を含む平面に配置してなる
ことを特徴とする請求項２に記載の旗保持具。
【請求項４】
前記第３ガイド体は、
前記第２ガイド体及び前記可動筒体間に配置され、
前記横方向において、前記第２滑車に旗吊下用ロープ径の間隔を隔てて対向されるロープ案内部材を有し、
前記ロープ案内部材は、
前記旗吊下用ロープの他方のロープ端側を、前記第２滑車との間に挿通する
ことを特徴とする請求項２又は３に記載の旗保持具。
【請求項５】
前記第１ガイド体は、
前記横方向に貫通する第１ガイド穴を有し、前記旗吊下用ロープを前記横竿体の先端側から前記第１ガイド穴に摺動自在に挿通して、前記旗吊下用ロープの一方のロープ端側を前記上下方向の下側に折返し、
前記第２ガイド体は、
前記横方向に貫通する第２ガイド穴を有し、前記第１ガイド穴からの前記旗吊下用ロープを前記第２ガイド穴に摺動自在に挿通して、及び前記旗吊下用ロープの他方のロープ端側を前記上下方向の下側に折返し、
前記第３ガイド体は、
前記上下方向又は前記横方向に貫通する第３ガイド穴を有し、前記旗昇降用ロープを前記上下方向の下側から前記第３ガイド穴に摺動自在に挿通して、前記旗昇降用ロープの各ロープ端側を前記上下方向の下側に折返す
ことを特徴とする請求項１に記載の旗保持具。
【考案の詳細な説明】
【技術分野】
【０００１】
本考案は、旗をポールに掲げる旗保持具に関する。
【背景技術】
【０００２】
旗をポールに掲げる技術として、特許文献１は、旗取付具を開示する。旗取付具は、第１嵌合部、第２嵌合部、第１横杆、第２横杆及び縦杆を有する。第１横杆は、第１嵌合部に片持ち支持され、第２横杆は、第２嵌合部に片持ち支持される。縦杆は、第１及び第２嵌合部間に配置され、各嵌合部に連結される。旗取付具では、第１及び第２嵌合部を旗竿に外嵌して、第１嵌合部を旗竿の天端に固定し、第２嵌合部を旗竿の下側に配置する。
特許文献１の旗取付具では、長方形旗を第１及び第２横杆等に取付けて、旗竿に掲げる。
【先行技術文献】
【特許文献】
【０００３】
【特許文献１】実開平０７−５１８４号公報
【考案の概要】
【考案が解決しようとする課題】
【０００４】
特許文献１では、第１嵌合部を旗竿の天端側に固定して、長方形旗を旗竿の天端側に掲げているので、旗竿の天端側が高所になると、長方形旗の取付け、又は取外しが困難になる。
【０００５】
本考案は、簡単な構成で、旗をポールに昇降できる旗保持具を提供することにある。
【課題を解決するための手段】
【０００６】
本考案に係る請求項１は、立設されたポールに外嵌され、前記ポールに沿った上下方向に摺動自在に配置される可動筒体と、前記可動筒体に片持ち支持され、前記上下方向と直交する横方向に延在される横竿体と、を備え、前記可動筒体を前記ポールに固定する旗保持具であって、前記横竿体の下側に配置され、前記横竿体の先端部に取付けられ、旗吊下用ロープを前記横方向に移動自在に支持して、前記旗吊下用ロープの一方のロープ端側を前記上下方向の下側に折返す第１ガイド体と、前記横竿体の下側で前記横梁体の支持側に配置され、前記横梁体又は前記可動筒体に取付けられ、前記第１ガイド体からの前記旗吊下用ロープを前記横方向に移動自在に支持して、前記旗吊下用ロープの他方のロープ端側を前記上下方向の下側に折返す第２ガイド体と、前記横竿体の下側で前記横竿体の支持側に配置され、前記横竿体又は前記可動筒体に取付けられ、旗昇降用ロープの各ロープ端側を前記上下方向の下側に折返して、前記旗昇降用ロープを前記上下方向に移動自在に支持する第３ガイド体と、を備えることを特徴とする旗保持具である。
【０００７】
本考案に係る請求項２は、前記第１ガイド体は、前記横竿体の下側に配置され、前記上下方向及び前記横方向と直交方向の第１回転軸に回転自在に外嵌される第１滑車を有し、前記旗吊下用ロープを前記横竿体の先端から前記第１滑車に巻掛けて、前記旗吊下用ロープの一方のロープ端側を前記上下方向の下側に巻返し、前記第２ガイド体は、前記横竿体の下側に配置され、前記直交方向の第２回転軸に回転自在に外嵌される第２滑車を有し、前記第１滑車からの前記旗吊下用ロープを前記第２滑車に巻掛けて、前記旗吊下用ロープの他方のロープ端側を前記上下方向の下側に巻返し、前記第３ガイド体は、前記横竿体の下側に配置され、前記直交方向の第３回転軸に回転自在に外嵌される第３滑車を有し、前記旗昇降用ロープを前記第３滑車に巻掛けて、前記旗昇降用ロープの各ロープ端側を前記上下方向の下側に巻返すことを特徴とする請求項１に記載の旗保持具である。
【０００８】
本考案に係る請求項３は、前記第１滑車、前記第２滑車及び前記第３滑車は、前記直交方向の滑車幅の中心点を、前記可動筒体の中心線及び前記横梁体の中心線を含む平面に配置してなることを特徴とする請求項２に記載の旗保持具である。
【０００９】
本考案に係る請求項４は、前記第３ガイド体は、前記第２ガイド体及び前記可動筒体間に配置され、前記横方向において、前記第２滑車に旗吊下用ロープ径の間隔を隔てて対向されるロープ案内部材を有し、前記ロープ案内部材は、前記第２ガイド体で前記上下方向の下側に折返された前記旗吊下用ロープを、前記第２滑車との間に挿通することを特徴とする請求項２又は３に記載の旗保持具である。
【００１０】
本考案に係る請求項５は、前記第１ガイド体は、前記横方向に貫通する第１ガイド穴を有し、前記旗吊下用ロープを前記横竿体の先端から前記第１ガイド穴に摺動自在に挿通して、前記旗吊下用ロープの一方のロープ端側を前記上下方向の下側に折返し、前記第２ガイド体は、前記横方向に貫通する第２ガイド穴を有し、前記第１ガイド穴からの前記旗吊下用ロープを前記第２ガイド穴に摺動自在に挿通して、前記旗吊下用ロープの他方のロープ端側を前記上下方向の下側に折返し、前記第３ガイド体は、前記上下方向又は前記横方向に貫通する第３ガイド穴を有し、前記旗昇降用ロープを前記上下方向の下側から前記第３ガイド穴に摺動自在に挿通して、前記旗昇降用ロープの各ロープ端側を前記上下方向の下側に折返すことを特徴とする請求項１に記載の旗保持具である。
【考案の効果】
【００１１】
本考案に係る請求項１によれば、旗吊下用ロープの他方のロープ端側を上下方向の下側に引下げると、旗吊下ロープは、第１及び第２ガイド体で支持されながら、第１ガイド体から第２ガイド体に移動され、一方のロープ端側を上下方向の上側に引上げる。旗昇降用ロープの一方のロープ端側は、他方のロープ端側を上下方向の下側に引下げると、第３ガイド体で支持されながら、上下方向の上側に引上げられる。
これにより、旗を、旗吊下用ロープの一方のロープ端に連結し、及び旗昇降用ロープであって、引上げられるロープ端側に連結して、各ロープの他方のロープ端側を上下方向の下側に引下げることで、旗をポールに掲げることができる。
また、旗吊下用ロープの他方のロープ端側を上下方向の上側に引上げると、旗吊下用ロープは、第１及び第２ガイド体で支持されながら、第２ガイド体から第１ガイド体に移動され、一方のロープ端側を上下方向の下側に引下げる。旗昇降用ロープの他方のロープ端側を上下方向の上側に引上げると、他方のロープ端側は、第３ガイド体で支持されながら、上下方向の上側に引上げられる。
これにより、旗をポールから降ろすことができる。
【００１２】
本考案に係る請求項２によれば、請求項１の効果に加えて、旗吊下用ロープを第１及び第２滑車に巻掛けて、第１及び第２滑車にて横方向に移動自在に支持し、また、旗昇降用ロープを第３滑車に巻掛けて、第３滑車にて上下方向に移動自在に支持する。
これにより、各ロープの各ロープ端側を上下方向に移動しても、各滑車が回転するので、
各ロープと各滑車の摩擦摺動による損傷等を低減できる。
【００１３】
本考案に係る請求項３によれば、請求項２の効果に加えて、旗吊下用ロープは、同一の平面に配置される第１及び第２滑車２にて横方向に直線的に移動され、及び旗昇降用ロープは、同一の平面に配置される第３滑車にて旗吊下用ロープと並列して上下方向に移動（昇降）されるので、旗吊下用ロープが第１及び第２滑車から直交方向に離脱するのを抑制でき、旗も直交方向に傾くことなく、ポールに掲げることが可能となる。
【００１４】
本考案に係る請求項４によれば、請求項３の効果に加えて、旗吊下用ロープの他方のロープ端側を上下方向の下側に引下げ、又は上下方向の上側に引上げても、他方のロープ端側はロープ案内部材に当接しつつ上下方向に移動されるので、旗吊下用ロープが第２滑車から離脱することを抑制できる。
【００１５】
本考案に係る請求項５によれば、請求項１の効果に加えて、第１乃至第３ガイド体は、第１乃至第3ガイド穴にて、各ロープを横方向、上下方向に移動自在に支持するので、簡単な構造となる。
【図面の簡単な説明】
【００１６】
【図１】第１実施形態の旗保持具、ポール及び長方形旗を示す図であって、長方形旗をポールの天端側から降ろした正面図である。
【図２】第１実施形態の旗保持具を示す上面図である。
【図３】図１の要部拡大正面図である。
【図４】図２のＡ−Ａ矢視要部拡大断面図である。
【図５】図３の要部拡大図であって、第１実施形態の旗保持具を構成する第１ガイド体を示す図である。
【図６】図３の要部拡大正面図であって、第１実施形態の旗保持具を構成する第２及び第３ガイド体を示す図である。
【図７】図３のＢ−Ｂ矢視拡大側図である。
【図８】図３のＣ−Ｃ矢視拡大側図である。
【図９】第１実施形態の旗保持具を構成する第１ガイド体を示す要部拡大断面図である。
【図１０】第１実施形態の旗保持具を構成する第２及び第３ガイド体を示す要部拡大断面図である。
【図１１】ロック穴、ロックピン及びロックバネを示す要部拡大断面図である。
【図１２】第１実施形態の旗保持具、ポール及び長方形旗を示す図であって、長方形旗をポールの天端側に掲げた正面図である。
【図１３】図１２の要部拡大正面図である。
【図１４】第１実施形態の旗保持具を構成する第２及び第３ガイド体を示す図あって、第２及び第３回転軸を一対の支持平板で軸支した要部拡大正面図である。
【図１５】図１４のＤ―Ｄ矢視拡大側面図である。
【図１６】第２実施形態の旗保持具、ポール及び長方形旗を示す図であって、長方形旗をポールの天端側から降ろした正面図である。
【図１７】図１６の要部拡大正面図である。
【図１８】（ａ）は第２実施形態の旗保持具を構成する第１ガイド体を示す要部拡大正面図、（ｂ）は図１８（ａ）のＥ−Ｅ矢視拡大側面図である。
【図１９】（ａ）は第２実施形態の旗保持具を構成するガイド体（第２及び第３ガイド体）を示す要部拡大正面図、（ｂ）は図１９（ａ）のＦ−Ｆ矢視拡大側面図である。
【図２０】第２実施形態の旗保持具、ポール及び長方形旗を示す図であって、長方形旗をポールの天端側に掲げた正面図である。
【図２１】図２０の要部拡大正面図である。
【図２２】第３実施形態の旗保持具、ポール及び長方形旗を示す図であって、長方形旗をポールの天端側から降ろした正面図である。
【図２３】（ａ）は第３実施形態の旗保持具を構成する第１ガイド体を示す図２２のＧ−Ｇ矢視拡大側面図、（ｂ）は第３実施形態の旗保持具を構成する第２及び第３ガイド体を示す図２２のＨ矢視拡大斜視図である。
【図２４】第３実施形態の旗保持具、ポール及び長方形旗を示す図であって、長方形旗をポールの天端側に掲げた正面図である。
【考案を実施するための形態】
【００１７】
本考案に係る旗保持具について、図１乃至図２４を参照して説明する。
以下、第１乃至第３実施形態の旗保持具を説明する。
図１乃至図２４において、第１乃至第３実施形態の旗保持具Ｘ１，Ｘ２，Ｘ３は、旗をポールＰに昇降する。
【００１８】
＜第１実施形態＞
第１実施形態の旗保持具について、図１乃至図１３を参照して説明する。
【００１９】
図１乃至図１３において、第１実施形態の旗保持具Ｘ１（以下、「旗保持具Ｘ１」という）は、可動筒体１、横竿体２、第１ガイド体３、第２ガイド体４及び第３ガイド体５を備える。
【００２０】
可動筒体１は、図１乃至図４、図６、図１０に示すように、立設されたポールＰに外嵌され、ポールＰに沿った上下方向Ａ１に摺動自在に配置される。可動筒体１は、例えば、ポールＰの天端Ｐａ側に固定される。
可動筒体１は、図３、図６及び図１０に示すように、円筒部材６、複数のネジ通穴７、複数のナット８、及び複数のボルト９を有する。
【００２１】
各ネジ通穴７は、図１０に示すように、円筒部材６に形成される。各ネジ通穴７は、可動筒体１（円筒部材６）の中心線方向Ａ１において、円筒部材６各開口端６Ａ，６Ｂ間に配置される。各ネジ通穴７は、上下方向Ａ１（可動筒体１の中心線方向Ａ１）に等間隔を隔てて配置される。各ネジ通穴７は、例えば、円筒部材６の一方の開口端６Ａ側の上段・ネジ通穴７、他方の開口端６Ｂ側の下段・ネジ通穴７、上段及び下段間の中段・ネジ通穴７でなる。
各ネジ通穴７は、図１０に示すように、上下方向Ａ１と直交する横方向Ｂ１において、円筒部材６を貫通する。各ネジ通穴７は、円筒部材６の外周６ａ及び内周６ｂに開口して、円筒部材６内外を連通する。
【００２２】
各ナット８は、図３、図６及び図１０に示すように、ネジ穴（図示しない）を有し、円筒部材６に固定される。
各ナット８は、各ネジ通穴７に対応して設けられ、筒部材６の各開口端６Ａ，６Ｂ間に間隔を隔てて配置される。
各ナット８は、図１０に示すように、ネジ穴（図示しない）をネジ通穴７の穴中心に同心として、円筒部材６の外周６ａに固定される。各ナット８は、例えば、円筒部材６の一方の開口端６Ａ側の上段・ナット８、他方の開口端６Ｂ側の下段・ナット８、上段及び下段間の中段・ナット８でなる。
【００２３】
各ボルト９は、図３、図６及び図１０に示すように、各ナット８に螺着され、各ナット通穴７を挿通自在にされる。各ボルト９は、上段・ナット８に螺着される上段・ボルト、中段・ナット８に螺着される中段・ボルト９、及び下段・ナット８に螺着される下段・ボルト９でなる。
【００２４】
横竿体２は、図１、図４、図６、図８及び図１０に示すように、可動筒体１（円筒部材６）に片持ち支持される。横竿体２は、上下方向Ａ１（可動筒体の中心線方向Ａ１）に直交する横方向Ｂ１（横竿体２の中心線方向Ｂ１）に延在される。
なお、上下方向Ａ１は、可動筒体１の中心線方向、及び横竿体２の中心線方向に直交する方向と一致する。横方向Ｂ１は、横竿体２の中心線方向、及び可動筒体１の中心線方向に直交する方向と一致する（以下、同様）。
【００２５】
横竿体２は、図１乃至図１１に示すように、大径円筒管１１、小径円筒管１２、複数のロック穴１３．ロックピン１４及びロックバネ１５を有する。
【００２６】
大径円筒管１１は、図１乃至図１１に示すように、可動筒体１（円筒部材６）の円周方向Ｅにおいて、各ナット８及びボルト９に対して、例えば、１８０°の角度を隔てて配置される。
大径円筒管１１は、図１乃至図４、図６、図８及び図１０に示すように、円筒部材６（可動筒体１）に片持ち支持され、一方の管端１１Ａ側を円筒部材６の外周６ａに固定する。大径円筒管１１は、横方向Ｂ１（横竿体２の中心線方向Ｂ１）に延在される。
【００２７】
小径円筒管１２は、図１乃至図１１に示すように、大径円筒管１１内に摺動自在に挿入される。小径円筒管１２は、図１乃至図４、図６、図９及び図１１に示すように、大径円筒管１１の先端１１Ｂ（他方の管端１１Ｂ）から挿入され、横方向Ｂ１に摺動する。小径円筒管１２は、一方の管端１２ａから大径円筒管１１内に挿入される。
小径円筒管１２は、ピン通穴１４を有する。ピン通穴１４は、一方の管端１２Ａ側に形成される。ピン通穴１４は、上下方向Ａ１において、小径円筒管１２の外周１２ａ及び内周１２ｂに開口される。ピン通穴１４は、小径円筒管１２の内外を連通する。
【００２８】
複数のロック穴１３は、図４、図９、図１０及び図１１に示すように、大径円筒管１１に形成される。各ロック穴１３は、横方向Ｂ１（横竿体２の中心線方向Ｂ１）に間隔を隔てて配置される。
各ロック穴１３は、上下方向（可動筒体１の中心線方向Ａ１）において、大径円筒管１１の下側の外周１１ａ、及び内周１１ｂに開口される。各ロック穴１３は、大径円筒管１１の内外を連通する。
【００２９】
ロックピン１５は、図４、図１０及び図１１に示すように、小径円筒管１２内に配置（収納）される。ロックピン１５は、ピン通穴１４に摺動自在に挿通される。ロックピン１５は、各ロック穴１３に摺動自在に挿通され、横竿体２（大径円筒管１１）の下側に突出する。
【００３０】
ロックバネ１６は、図４、図１０及び図１１に示すように、例えば、平板を「く字形」に屈曲した板バネで構成され、一対のバネ板部１６Ａ，１６Ｂを有する。ロックバネ１６は、小径円筒管１２内に収納（配置）される。
ロックバネ１６は、小径円筒管１２の管端１２Ａ側に配置され、小径円筒管１２の内周１２ｂ及びロックピン１５間に架設される。
バネ板部１６Ａの先端側は、上下方向Ａ１の上側で小径円筒管１２の内周１２ｂに固定される。バネ板部１６Ｂの先端側は、上下方向Ａ１の下側で小径円筒管１２の内周１２ｂに当接される。ロックバネ１６は、バネ板部１６Ｂの先端側にロックピン１５を固定して、ロックピン１５を小径円筒管１２の外周１２ａ側に付勢（バネ力で付勢）する。
旗保持具Ｘ１では、小径円筒管１２を大経円筒管１１に対して横方向Ｂ１に摺動し、ロックピン１５をロックバネ１６のバネ力にて任意のロック穴１３に挿通することで、横竿体３の横方向Ｂ１の全長を調整する（図４及び図１０参照）。
【００３１】
第１ガイド体３は、図１、図３乃至図５、図７及び図９に示すように、上下方向Ａ１において、横竿体２（小径円筒管１２）の下側に配置される。
第１ガイド体３は、小径円筒管１２の先端１２Ｂ側であって、横竿体２の先端部２Ａに取付けられる。
【００３２】
第１ガイド体３は、第１滑車２１、第１回転軸２２、及び第１ブラケット２３を有する。
【００３３】
第１滑車２１は、滑車本体２４、及び滑車溝２５を有してなる。滑車本体２４は、図５、図７及び図９に示すように、円形板であって、上下方向Ａ１及び横方向Ｂ１と直交方向Ｃ１に滑車幅を有する。滑車溝２５は、滑車本体２４の滑車幅に渡って形成され、滑車本体２４外周に渡って開口する。
第１滑車２１は、図１、図３乃至図５、図７及び図９に示すように、上下方向Ａ１において、横竿体２（小径円筒管１２）の下側に配置される。
第１滑車２１は、上下方向Ａ１において、滑車本体２４の回転中心線ｋａ及び横竿体２の中心線ｂ１に間隔ＫＴを隔てて、横竿体２（小径円筒管１２）の下側に配置される。
【００３４】
第１回転軸２２は、図７に示すように、直交方向Ｃ１に延在される。第１回転軸２２は、直交方向Ｃ１において、滑車本体２４の回転中心線Ｋａに沿って第１滑車２１（滑車本体２４）を貫通する。第１滑車２１（滑車本体２４）は、第１回転軸２２に回転自在に外嵌される。
これにより、第１滑車２１は、第１回転軸２２に対して回転する。
【００３５】
第１ブラケット２３は、図５、図７及び図９に示すように、一対の支持平板２６，２７、及び補強平板２８を有する。
各支持平板２６，２７は、直交方向Ｃ１において、第１滑車２１の両幅側に配置される。各支持平板２６，２７は、横竿体２（小径円筒管１２）の先端部２Ａに取付けられ、上下方向Ａ１において、横竿体２（小径円筒管１２）の下側に延在される。
各支持平板２６，２７は、第１回転軸２２の各軸端部を軸支する。第１回転軸２２の各軸端部は、各支持平板２６，２７に固定される。各支持平板２６，２７において、横方向Ｂ１の板幅は、第１滑車２１（滑車本体２４）の直径より小さく（狭く）され、第１滑車２１は、横方向Ｂ１において、各支持平板２６，２７から突出される。
補強平板２８は、上下方向Ａ１において、第１滑車２１の下側に配置され、各支持平板２６，２７の先端に固定される。
これにより、第１滑車２１は、第１ブラケット２３内に回転自在に軸支され、第１回転軸２２及び各支持平板２６，２７を介在して、横竿体２の先端部２Ａに取り付けられる。
【００３６】
第１ガイド体３は、図７及び図９に示すように、横竿体３（小径円筒管１２）の下側、各支持平板２６，２７及び第１滑車２１で囲まれるにロープ通穴２９を形成し、ロープ通穴２９（第１ロープ貫通穴）は横方向Ｂ１に貫通する。
【００３７】
第１ガイド体３は、図５、図７及び図９に示すように、旗吊下用ロープＲ１を横竿体２の先端２１Ａ（小径円筒管１２の先端２１Ａ）からロープ通穴２９（横竿体３の下側及び第１滑車２１間）に挿通し、第１滑車２１に巻掛ける。
旗吊下ロープＲ１は、横竿体２（小径円筒管１２）の下側から第１滑車２１の滑車溝２５内に挿入され、第１滑車２１に巻掛けられる。
第１ガイド体３は、旗吊下用ロープＲ１の一方のロープ端Ｒ１ａ側を、第１滑車２１にて上下方向Ａ１の下側に巻返す（折返す）。
これにより、第１第ガイド体１は、第１滑車２１にて旗吊下用ロープＲ１を横方向Ｂ１に移動自在に支持する。また、第１ガイド体３は、第１滑車２１にて横竿体２の先端部２Ａから旗吊下用ロープＲ１を上下方向Ａ１に移動自在に支持する。
【００３８】
第２ガイド体４は、図１、図３、図４、図６、図８及び図１０に示すように、上下方向Ａ１において、横竿体３（大径円筒管１１）の下側に配置される。
第２ガイド体４は、横方向Ｂ１において、第１ガイド体３に間隔を隔てて可動筒体１側に配置される。第２ガイド体２は、大径円筒管１１の一方の管端１１Ａ側であって、横竿体２の支持側２Ｂ（可動筒体３側）に取付けられる。
【００３９】
第２ガイド体４は、第２滑車３１、第２回転軸３２、及び第２ブラケット３３を有する。
第２滑車３１は、第１滑車２１と同一構成であって、滑車本体２４及び滑車溝２５を有してなる。
第２滑車３１は、上下方向Ａ１において、横竿体２（大径円筒管１１）の下側に配置される。第２滑車３１は、図６、図９及び図１０に示すように、上下方向Ａ１において、滑車本体２４の回転中心線ｋａ及び横竿体２の中心線ｂ１に間隔ＫＴを隔てて、横竿体２（小径円筒管１２）の下側に配置される。
これより、第２滑車３１は、上下方向Ａ１において、第１滑車２１と同一位置に配置される。
【００４０】
第２回転軸３２は、図８に示すように、直交方向Ｃ１に延在される。第２回転軸３２は、直交方向Ｃ１において、滑車本体２４の回転中心線Ｋａに沿って第２滑車３１（滑車本体２４）を貫通する。第２滑車３１（滑車本体２４）は、第２回転軸３２に回転自在に外嵌される。
これにより、第２滑車３１は、第２回転軸３２に対して回転する。
【００４１】
第２ブラケット３３は、図６、図８及び図１０に示すように、一対の支持平板３６，３７及び補強平板３８を有する。
各支持平板６６，３７は、図８に示すように、直交方向Ｃ１において、第２滑車３１の両幅側に配置される。各支持平板３６，３７は、横竿体２（大径円筒管１１）の支持側２Ｂに取付けられ、上下方向Ａ１において、横竿体２（大径円筒管１１）の下側に延在される。
各支持平板３６，３７は、第２回転軸３２の各軸端部を軸支する。第２回転軸３２の各軸端部は、各支持平板３６，３７に固定される。各支持平板３６，３７において、横方向Ｂ１の板幅は、第２滑車３１（滑車本体２４）の直径より小さく（狭く）され、第２滑車３１は、横方向Ｂ１において、各支持平板２６，２７から突出される。
補強平板３８は、上下方向Ａにおいて、第２滑車３１の下側に配置され、各支持平板３６，３７の先端に固定される。
これにより、第２滑車３１は、第２ブラケット３３内に回転自在に軸支され、第２回転軸３２及び各支持平板３６，３７を介在して、横竿体２の支持側２Ｂ取付けられる。
【００４２】
第２ガイド体４は、図８及び図１０に示すように、横竿体３（大経円筒管１１）に下側、各支持平板３６，３７及び第２滑車３１で囲まれるにロープ通穴３９を有し、ロープ通穴３９（第２ロープ貫通穴）は横方向Ｂ１に貫通する。
【００４３】
第２ガイド体４は、図６、図８及び図１０に示すように、第１滑車２１（第１ガイド体３）からの旗吊下用ロープＲ１をロープ通穴３９（横竿体３の下側及び第２滑車３１間）に挿通し、第２滑車３１に巻掛ける。
第２ガイド体４は、旗吊下用ロープＲ１の他方のロープ端Ｒ１ｂ側を第２滑車３１にて上下方向Ａ１の下側に巻返す（折返す）。
旗吊下用ロープＲ１は、横竿体２の下側及び第２滑車３１間から第２滑車３１の滑車溝２５に挿入され、第２滑車３１に巻掛けられる。
旗吊下用ロープＲ１の他方のロープ端Ｒ１ｂは、第２滑車３１及びロープ案内平板４８間に挿通される。
これにより、第２ガイド体４は、第２滑車３１にて、旗吊下用ロープＲ１を横方向Ｂ１に移動自在に支持する。また、第２ガイド体４は、第２滑車３１にて、旗吊下用ロープＲ１を上下方向に移動自在（昇降自在）に支持する。
旗吊下用ロープＲ１は、横方向Ｂ１において、第１及び第２滑車２１，３１に巻掛けられ、第１及び第２滑車２１，３１を回転して、第１滑車２１から第２滑車３２に移動され、又は第２滑車３１から第１滑車２１に移動される。
また、旗吊下用ロープＲ１は、第２滑車３１にて上下方向Ａ１の下側に巻返され、第１及び第２滑車２１，３１を回転して、上下方向Ａ１に移動（昇降）される。
【００４４】
第３ガイド体５は、図１、図３、図４、図６、図８及び図１０に示すように、上下方向Ａ１において、横竿体２（大径円筒管１１）の下側で横竿体２の支持側２Ｂに配置される。
第３ガイド体５は、横方向Ｂ１において、第２ガイド体４及び可動筒体１間に配置される。第３ガイド体５は、可動筒体１（円筒部材６の外周６ａ）に取付けられる。
【００４５】
第３ガイド体５は、第３滑車４１、第３回転軸４２、及び第３ブラケット３３を有する。
【００４６】
第３滑車４１は、第１滑車２１と同一構成であって、滑車本体２４及び滑車溝２５を有してなる。
第３滑車４１は、図１、図３、図４、図６、図８及び図１０に示すように、上下方向Ａ１において、横竿体２（大経円筒管１１）の下側であって、第２滑車３１の下側に配置される。第３滑車４１は、横方向Ｂ１において、第２滑車３１及び可動筒体１（円筒部材６）間に配置され、第２滑車３１に対向される。
第３滑車４１は、図６に示すように、横方向Ｂ１において、滑車本体２４の回転中心線Ｋａ及び可動筒体１の中心線ａ１に間隔を隔てて、可動筒体１（円筒部材６）の内側に配置される。
【００４７】
第３回転軸４２は、図８に示すように、直交方向Ｃ１に延在される。第３回転軸４２は、直交方向Ｃ１において、滑車本体２４の回転中心線Ｋａに沿って第３滑車４１（滑車本体２４）を貫通する。第３滑車４１（滑車本体２４）は、第３回転軸４２に回転自在に外嵌される。
これにより、第３滑車４１は、第３回転軸４２に対して回転する。
【００４８】
第３ブラケット４３は、旗吊下用ロープＲ1の他方のロープ端Ｒ１ｂを案内する。
第３ブラケット４３は、図６、図７、図８及び図１０に示すように、一対の支持平板４６，４７、及びロープ案内平板４８（ロープ案内部材）を有する。
【００４９】
各支持平板４６，４７は、図７及び図８に示すように、直交方向Ｃ１において、第３滑車４１の両側に配置される。各支持平板４６，４７は、可動筒体１（円筒部材６の外周６ａ）に取付けられる。各支持平板４６，４７は、横方向Ｂ１において、第２ガイド体４（第２滑車３１）側に延在される。各支持平板４６，４７は、第３回転軸４２の各軸端部を軸支する。第３回転軸４２の各軸端部は、各支持平板４６，４７に固定される。
各支持平板４６，４７において、上下方向Ａ１の板幅は、第３滑車４１（滑車本体２４）の直径より小さく（狭く）され、第３滑車４１は、上下方向Ａ１において、各支持平板４６，４７から突出される。
【００５０】
ロープ案内平板４８は、図１０に示すように、横方向Ｂ１において、第２滑車３１の滑車溝２５（溝底）にロープ間隔を隔てて対向される。ロープ間隔は、旗吊下用ロープ径（直径）である。
ロープ案内平板４８は、各支持平板４６，４７の先端に固定される。ロープ案内平板４８は、図６乃至図８及び図１０に示すように、ガイド平面４８Ａを有する。ガイド平面４８Ａは、第２滑車３１外周に平行して対向される。
これにより、第３滑車４１は、第３ブラケット４３内に回転自在に軸支され、第３回転軸４２及び各支持平板４６，４７を介在して、可動筒体１に取付けられる。
【００５１】
第３ガイド体５は、図１０に示すように、ロープ案内平板４８、各支持平板４６，４７及び第３滑車４１で囲まれるにロープ通穴４９を有し、ロープ通穴４９（第３ロープ通穴）は上下方向Ａ１に貫通する。
第３ガイド体５は、図１０に示すように、可動筒体１（円筒部材６）の内側において、各支持平板４６，５７及び第３滑車４１で囲まれるロープ通穴５０を形成し、ロープ通穴５０（第４ロープ通穴５０）は上下方向Ａ１に貫通する。
【００５２】
第３ガイド体５は、図１、図３、図４、図６、図７、図８及び図１０に示すように、旗昇降用ロープＲ２を上下方向Ａ１の下側から第３滑車４１に巻掛け、及び旗昇降用ロープＲ２の各ロープ端Ｒ２ａ，Ｒ２ｂを第３滑車４１にて上下方向Ａ１の下側に巻返す（折返す）。
旗昇降用ロープＲ２は、図１０に示すように、ロープ通穴４９（ロープ案内平板４８及び第３滑車４１間）に挿通され、及び上下方向Ａ１において、横竿体３（大経円筒管１１）及び第３滑車４１間から滑車溝２５に挿入される。
また、旗昇降用ロープＲ２は、第３滑車４１にて上下方向Ａ１の下側に折返され、ロープ通穴５０（第３滑車４１及び可動筒体１間）に挿通される。
これにより、第ガイド体５は、第３滑車４１にて、旗昇降用ロープＲ２を上下方向Ａ１に移動自在（昇降自在）に支持する。
旗昇降用ロープＲ２の一方のロープ端Ｒ２側は、第２滑車３１及びロープ案内平板４８間にて上下方向Ａ１に移動（昇降）され、他方のロープ端Ｒ２ｂ側は、第３滑車４１及び可動筒体１（ポールＰ）間にて、上下方向Ａ１に移動（昇降）される。
【００５３】
第１乃至第３ガイド体３〜５において、第１滑車２１、第２滑車３１及び第３滑車４１は、図３、図７及び図８に示すように、直交方向の滑車幅の中心点ｃを、可動筒体１の中心線ａ１及び横竿体２の中心線ｂ１を含む平面Ａに配置される。
これにより、旗吊下用ロープＲ１は、横方向Ｂ１及び上下方向Ａ１において、同一の平面Ａに配置される各滑車２１，３１にて直線的に移動され、及び旗昇降用ロープＲ２は、平面Ａに配置される第３滑車４１にて、旗吊下用ロープＲ１と並列して上下方向Ａ１に移動（昇降）される。
【００５４】
図１乃至図１０、図１２及び図１３において、旗保持具Ｘ１は、旗吊下用ロープＲ１、及び旗昇降用ロープＲ２を使用して、旗ＦＬをポールＰに昇降する。
【００５５】
先ず、旗保持具Ｘ１は、図１乃至図１０、図１２及び図１３に示すように、立設されるポールＰの天端Ｐ１側に取付けられる。
旗保持具Ｘ１において、上段・ボルト９を回転して、円筒部材６内に突出する。
旗保持具Ｘ１は、図４及び図１０に示すように、円筒部材６（可動筒体１）を天端Ｐ１からポールＰに外嵌し、上段・ボルト９をポールＰの天端Ｐ１に当接する。可動筒体１は、円筒部材６の開口端６ＢからポールＰに外嵌する。
可動筒体１において、中段・ボルト９及び下段・ボルト９を回転して、中段及び下段・ボルト９をポールＰに圧接する。
これにより、旗保持具Ｘ１は、ポールＰの天端Ｐ１側に取付けられ、固定される。
【００５６】
また、旗保持具Ｘ１において、小径円筒管１２を大経円筒管１１に対して、横方向Ｂ１に摺動することで、横竿体３を伸縮する。
これにより、横竿体３の横方向Ｂ１の全長を、旗の大きさに応じて調整する。
【００５７】
旗吊下用ロープＲ１は、図７及び図９に示すように、ロープ通穴２９に挿通され、第１滑車２１に巻掛けられる。旗吊下用ロープＲ１は、図８及び図１０に示すように、第１滑車２１からロープ通穴３９に挿通され、第２滑車３１に巻掛けられる。
旗吊下用ロープＲ１において、一方のロープ端Ｒ１ａ側は、図１、図３、図５、図７及び図９に示すように、第１滑車２１にて上下方向Ａ１の下側に巻返され、横竿体３の先端部２ＡからポールＰの下端側まで延在される。
旗吊下用ロープＲ１において、他方のロープ端Ｒ１ｂ側は、図１、図４、図６、図８及び図１０に示すように、第１滑車３１にて上下方向Ａ１の上下方向Ａに下側に巻返され、横竿体３の支持側（可動筒体１側、ポールＰ側）からポールＰの下端側まで延在される。他方のロープ端Ｒ１ｂ側は、第２滑車３１及びロープ案内平板４８間を挿通される。
【００５８】
旗昇降用ロープＲ２は、図１０に示すように、ロープ通穴４９に挿通され、第３ガイド体の第３滑車４１に巻掛られる。旗昇降用ロープＲ２は、第３滑車４１からロープ通穴５０に挿通される。
旗昇降用ロープＲ２において、一方のロープ端Ｒ２ａ側は、図１、図３、図４、図６及び図１０に示すように、第３滑車４１にて上下方向Ａ１の下側に巻返され、横竿体３の支持側（可動筒体１側、ポール側）からポールＰの下端側まで延在される。一方のロープ端Ｒ２ａ側は、ガイド案内平板４８及び第３滑車間に挿通される。
旗昇降用ロープＲ１において、他方のロープ端Ｒ２ｂ側は、図１、図３、図４、図６及び図１０に示すように、第３滑車４１にて上下方向Ａ１の下側に巻返され、横竿体３の支持側（可動筒体１側、ポール側）からポールＰの下端側まで延在される。他方のロープ端Ｒ２ｂ側は、第３滑車４１及び可動筒体１（ポールＰ）間に配置される。
旗昇降用ロープＲ２は、図１、図１２及び図１３に示すように、例えば、各ローラ端Ｒ２ａ，Ｒ２ｂを結び付けて連結し、環状ロープにする。
【００５９】
旗ＦＬは、図１に示すように、例えば、長方形旗（正方形旗、矩形旗等）に形成される（以下、「長方形旗ＦＬ」という）。長方形旗ＦＬは、旗吊下用ロープＲ１、及び旗昇降用ロープＲ２に連結され、取付けられる。
長方形旗ＦＬにおいて、一端辺Ｓ１の各角部Ｆ１，F２は、図１に示すように、旗昇降用ロープＲ２に連結される。各角部Ｆ１，Ｆ２は、ハト目を有し、ハト目に紐Ｈ１，Ｈ２を挿通し、各紐Ｈ１，Ｈ２を旗昇降用ロープＲ２に結び付ける。角部Ｆ１に結び付けた紐Ｈ１は、例えば、旗昇降用ロープＲ２の各ロープ端の結目ＲＭに結び付ける。角部Ｆ２に結び付けた紐Ｈ２は、結目ＲＭより下側であって、引上げられるロープ端Ｒ２ｂ側に結び付ける。
これにより、旗昇降用ロープにおいて、他方のロープ端Ｒ２ｂ側は、各角部Ｆ１，Ｆ２にて長方形旗ＦＬに連結される。
【００６０】
長方形旗ＦＬにおいて、一の角部Ｆ２の対角部Ｆ３（角部）は、図１に示すように、旗吊下用ロープＲ１の一方のロープ端Ｒ１ａに連結され、取付けられる。
対角部Ｆ３は、ハト目を有し、ハト目に一方のロープ端Ｒ１ａを挿通して結び付ける。
これにより、旗吊下用ロープＲ１において、一方のロープ端Ｒ１ａは、対角部Ｆ３にて長方形旗ＦＬに連結される。
【００６１】
続いて、旗吊下用ロープＲ１において、他方のロープ端Ｒ１ｂ側を上下方向Ａ１の下側に引下げる（図１参照）。
これにより、一方のロープ端Ｒ１ａ側は、図１２及び図１３に示すように、第１及び第２滑車２１，３１を回転して各滑車２１，３１で支持されながら、上下方向Ａ１の上側（横竿体２の先端部２Ａ側）に引上げられる。
長方形旗ＦＬの対角部Ｆ３は、図１２及び図１３に示すように、一方のロープ端Ｒ１ａ側の引上げによって、上下方向Ａ１の上側（横竿体２の先端部２Ａ側）に上昇される（引上げられる）。
なお、他方のロープ端Ｒ１ｂを、上下方向Ａ１の上側（横竿体２の先端部２Ａ側）に引上げることで、長方形旗ＦＬの対角部Ｆ３は、上下方向Ａ１の下側に降ろされる（下げられる）。
【００６２】
旗昇降用ロープＲ２において、他方のロープ端Ｒ２ｂを上下方向Ａ１の下側に引下げる（図１参照）。
これにより、一方のロープ端Ｒ２ａ側は、図１２及び図１３に示すように、第３滑車４１を回転して第３滑車４１にて支持されながら、上下方向Ａ１の上側（横竿体２の支持側２Ｂ側）に引上げられる。
長方形旗ＦＬの各角部Ｆ１，Ｆ２は、図１２及び図１３に示すように、一方のロープ端Ｒ２ａの引上げによって、上下方向Ａ１の上側（横竿体２の支持側２Ｂ）に上昇される（引上げられる）。
なお、他方のロープ端Ｒ１ｂを、上下方向Ａ１の上側（横竿体２の支持側２Ｂ）に引上げることで、長方形旗ＦＬは、上下方向Ａ１の下側に降ろされる（下げられる）。
【００６３】
このように、旗吊下用ロープＲ１において、他方のロープ端Ｒ１ｂの引下げ、又は引上げを調整し、及び旗昇降用ロープＲ２において、他方のロープ端Ｒ２ｂの引下げ、又は引上げを調整することで、長方形旗ＦＬを上昇して、ポールＰの天端Ｐ１側（横竿体２側）に掲げ、及び横竿体２の中心線ｂ１に平行に配置する（図１２及図１３参照）。
【００６４】
続いて、旗吊下用ロープＲ１において、他方のロープ端Ｒ１ｂ側をポールＰのロープ掛けＲＫに巻付け、結付ける等して、旗吊下用ロープＲ１をポールＰに固定する（図１参照）。
また、旗昇降用ロープＲ１において、上下方向Ａ１の下側を、ロープ掛けＲＫに巻付け、結び付ける等して、旗昇降用ロープＲ２をポールＰに固定する（図１２参照）。
なお、ロープ掛けＲＴは、図１２に示すように、上下方向Ａ１において、ポールＰの下端側に固定されている。
これにより、旗保持具Ｘ１は、各ロープＲ１，Ｒ２を第１乃至第３滑車２１，３１，４１（第１乃至第３ガイド体３〜５）にて支持することで、長方形旗ＦＬを上下方向Ａ１の下側に下げることなく、ポールＰの天端Ｐ側に保持する。
【００６５】
図１２において、旗吊下用ロープＲ１、及び旗昇降用ロープＲ２をロープ掛けＲＫから解く。
続いて、旗吊下用ロープＲ１において、他方のロープ端Ｒ１ｂ側を上下方向Ａ１の上側（床竿体２側）に引上げ、及び旗昇降用ロープＲ２において、他方のロープ端Ｒ２ｂを上下方向Ａ１の上側（横竿体２側）に引上げる。
これにより、長方形旗ＦＬをポールＰの天端Ｐ１（旗保持具Ｘ１）から降ろす。
【００６６】
第１実施形態の旗保持具Ｘ１では、図１４及び図１５に示すように、一対の支持平板５６，５７にて、第２回転軸２２及び第３回転軸３２を軸支しても良い。
各支持平板５６，５７は、第２及び第３ガイド体４，５のブラケット３３，４３を兼用する。
【００６７】
各支持平板５６，５７は、図１４及び図１５に示すように、横竿体（大径円筒管１１）の下側で横竿体２の支持側２Ｂ（可動筒体１側）に配置される。
各支持平板５６，５７は、直交方向Ｃ１において、第２及び第３滑車３１，４１の両幅側に配置される。各支持平板５６，５７は、横竿体（大径円筒管１１）及び可動筒体１（円筒部材６）に固定される。
各支持平板５６，５７は、第２及び第３回転軸３２，４２の各軸端部を軸支する。第２及び第３回転軸３２，４２の各軸端部は、各支持平板５６，５７に固定される。
これにより、第２及び第３滑車３１，３２は、各支持平板５６，５７間に配置され、第２及び第３回転軸３２，４２に対して回転する。
【００６８】
＜第２実施形態＞
第２実施形態の旗保持具について、図１６乃至図２１を参照して説明する。
なお、図１６乃至図２１において、図１乃至図１３と同一符号は、同一構成、同一部材であるので、その詳細な説明は省略する。
【００６９】
図１６乃至図２１において、第２実施形態の旗保持具Ｘ２（以下、「旗保持具Ｘ２」という）は、可動筒体１、横竿体２、第１ガイド体６３、ガイド体６５を備える。
旗保持具Ｘ２において、可動筒体１及び横竿体２は、図１乃至図１１で説明したと同一構成である（第１実施形態の旗保持具Ｘ１と同一構成である）。
【００７０】
第１ガイド体６１は、図１６乃至図２１に示すように、上下方向Ａ１において、横竿体２（小径円筒管１２）の下側に配置される。第１ガイド体６３は、横竿体２の先端部２Ａに揺動自在に取付けられる。
【００７１】
第１ガイド体６３は、図１７及び図１８に示すように、第１滑車２１、第１回転軸２２、取付リング７２、第１ブラケット７３及びナス環７４を有する。
旗保持具Ｘ２において、第１滑車２１及び第１回転軸２２は、図１乃至図１０で説明したと同一構成であって、滑車本体２４及び滑車溝２５を有してなり、第１回転軸２２は直交方向Ｃ１に延在され、及び第１滑車２１は回転自在に第１回転軸２２に外嵌される。
【００７２】
取付リング７２は、図１７及び図１８に示すように、横竿体２（小径円筒管１２）の下側に配置される。取付リング７２は、取付穴７２Ａを直交方向Ｃ１に貫通して、横竿体２の先端部２Ａに固定される。
【００７３】
第１ブラケット７３は、図１７及び図１８に示すように、一対の支持平板７６，７７及び補強平板７８を有する。
各支持平板７６，７７は、直交方向Ｃ１において、第１滑車２１の両幅側に配置される。各支持平板７６，７７は、第１回転軸２２の各軸端部を軸支する。第１回転軸２２の各軸端部は、各支持平板７６，７７に固定される。各支持平板７６，７７において、横方向Ｂ１の板幅は、第１滑車２１（滑車本体２４）の直径より小さく（狭く）され、第１滑車２は、横方向Ｂ１において、各支持平板７６，７７から突出する。
補強平板７８は、上下方向Ａ１において、第１滑車２１の上側に配置され、各支持平板７６，７７の先端に固定される。
ナス環７４は、上下方向Ａ１において、第１ブラケット７３の上側に配置され、補強平板７８に取付けられる。
ナス環７４は、取付リング７２の取付け穴７２Ａに揺動自在に挿通され、取付リング７２に掛けられる。
これにより、第１ガイド体６３は、横竿体２の下側に配置され、横方向Ｂ１及び直交方向Ｃ１に揺動自在に横竿体２（小径円筒管１２）の先端部２Ａに取付けられる。
第１ガイド体６３は、図１８（ｂ）に示すように、補強平板７８、各支持平板７６，７７及び第１滑車２１で囲まれるロープ通穴７９を有し、ロープ通穴７９（第１ロープ通穴）は横方向Ｂ１に貫通する。
【００７４】
第１ガイド体６３は、図１乃至図１０で説明したと同様に、旗吊下用ロープＲ１を横竿体２の先端（小径円筒筒１２の先端２１Ａ）からロープ通穴７９に挿通し、第１滑車２１に巻掛ける（図１６乃至図１８参照）。
第１ガイド体７３は、旗吊下用ロープＲ１の一方のロープ端Ｒ１ａ側を、第１滑車２１にて上下方向Ａ１の下側に巻返す（折返す）。
これにより、第１ガイド体６３は、図１６乃至図１８に示すように、旗吊下用ロープＲ１を第１滑車２１にて、横方向Ｂ１に移動自在に支持する。第１ガイド体６３は、第１滑車２１にて、旗吊下用ロープＲ１を上下方向Ａ１に移動自在に支持する。
【００７５】
ガイド体６５は、図１乃至図１０で説明した第１及び第２ガイド体３，４を一体にして構成され、第１及び第２ガイド体３，４と同様な機能を有する。
ガイド体６５は、図１６、図１７及び図１９に示すように、第２滑車３１、第３滑車４１、回転軸８２、取付リング９２、ブラケット９３及びナス環９４を有する。
【００７６】
ガイド体６５において、第２及び第３滑車３１，４１は、図１乃至図１０で説明したと同一構成であって、滑車本体２４及び滑車溝２５を有してなる。
第２及び第３滑車３１，４１は、上下方向Ａ１において、横竿体２（大径円筒管１１）の下側に配置される。
第２及び第３滑車３１，４１は、直交方向Ｃ１に並設される。
【００７７】
回転軸８２は、図１乃至図１０で説明した第２及び第３回転軸３２，４２を一体にして形成され、第２及び第３回転軸３２，４２と同様の機能を有する。
回転軸８２は、図１７及び図１９に示すように、直交方向Ｃ１に延在される。回転軸８２は、直交方向Ｃ１において、各滑車本体２４の回転中心線Ｋaに沿って第２及び第３滑車３１，４１（滑車本体２４）を貫通する。第２及び第３滑車３１，４１は、回転軸８２に回転自在に外嵌される。
これにより、第２及び第３滑車３１，４１は、回転軸８２に対して回転する。
【００７８】
取付リング９２は、図１７及び図１９に示すように、横竿体２（大径円筒管１１）の下側に配置される。取付リング９２は、取付穴９２Ａを直交方向Ｃ１に貫通して、横竿体２の支持側２Ｂ（可動筒体１側）に固定される。
【００７９】
ブラケット９３は、図１７及び図１９に示すように、複数の支持平板９５，９６，９７、及び補強平板９８を有する。各支持平板９５，９６は、直交方向Ｃ１において、第２及び第３滑車３１，４１の外側に配置され、支持平板９７は、第２及び第３滑車３１，４１間に配置される。
各支持平板９５，９６は、回転軸８２の各軸端部を軸支し、支持平板９７は、第２及び第３滑車３１，４１間にて回転軸８２を軸支する。回転軸８２は、各支持平板９５〜９７に固定される。
各支持平板９５〜９７において、横方向Ｂ１の板幅は、第２及び第３滑車３１，４１の直径より小さく（狭く）され、第２及び第３滑車３１，４１は、横方向Ｂ１において、各支持平板９５〜９７から突出する。
補強平板９８は、上下方向Ａ１において、第２及び第３滑車３１，４１の上側に配置され、各支持平板９５〜９７に固定される。
ナス環９４は、上下方向Ａ１において、ブラケット９３の上側に配置され、補強平板９８に取付けられる。ナス環９４は、取付リング９２の取付穴９２Ａに揺動自在に挿通され、取付リング９２に掛けられる。
これにより、ガイド体６５は、横竿体２の下側に配置される。ガイド体６５は、横方向Ｂ１において、第１ガイド体６３に間隔を隔てて配置され、横竿体２の支持側２Ｂ（可動筒体１側）に取付けられる。
ガイド体６５は、図１９（ｂ）に示すように、各支持平板９６，９７、補強平板９８及び第２滑車３１で囲まれるロープ通穴９９Ａを有し、ロープ通穴９９Ａは横方向Ｂ１に貫通する。ガイド体６５は、各支持平板９５，９７、補強平板９８及び第３滑車４１で囲まれるロープ通穴９９Ｂを形成し、ロープ通穴９９Ｂは横方向Ｂ１に貫通する。
【００８０】
ガイド体６５は、図１乃至図１０で説明したと同様、第１滑車２１からの旗吊下用ロープＲ１をロープ通穴９９Ａ（第２滑車３１及び補強平板９８間）に挿通し、第２滑車３１に巻掛ける。ガイド体６５は、旗吊下用ロープＲ１の他方のロープ端Ｒ１ｂ側を第２滑車３２にて上下方向Ａ１の下側に巻返す（折返す）。
これにより、ガイド体６５は、第２滑車３１にて、旗吊下用ロープＲ１を横方向Ｂ１に移動自在に支持する。また、ガイド体６５は、第２滑車３１にて、旗吊下用ロープＲ１を上下方向Ａ１に移動自在に支持する。
旗吊下用ロープＲ１は、横方向Ｂ１において、第１及び第２滑車２１，３１に巻掛けられ、各滑車２１，３１を回転して、第１滑車２１から第２滑車３１に移動され、又は第２滑車３１から第１滑車２１に移動される。
また、旗吊下用ロープＲ１は、第１及び第２滑車２１，３１にて上下方向Ａ１の下側に巻返され、第１及び第２滑車２１，３１を回転して、上下方向Ａ１に移動（昇降）される。
【００８１】
ガイド体６５は、図１乃至図１０で説明したと同様、旗昇降用ロープＲ２をロープ通穴９９Ｂに挿通して、第３滑車４１に巻掛け、旗昇降用ロープＲ１の各ロープ端Ｒ２ａ，Ｒ２ｂを上下方向Ａ１の下側に巻返す（折返す）。
これにより、ガイド体６５は、第３滑車４１にて、旗昇降用ロープＲ２を上下方向Ａ１に移動自在に支持する。
【００８２】
旗保持具Ｘ２は、図１乃至図１３で説明したと同様、旗吊下用ロープＲ１及び旗昇降用ロープＲ２を使用して、長方形旗ＦＬを昇降する（図２０参照）。
【００８３】
長方形旗ＦＬにおいて、各角部Ｆ１，Ｆ２は、図1乃至図１３で説明したと同様に、各紐Ｈ１，Ｈ２にて、旗昇降用ロープＲ２の結目ＲＭ、及び引上げられるロープ端Ｒ２ｂに連結される（図１６、図２０及び図２１参照）。
長方形旗ＦＬにおいて、対角部Ｆ３は、旗吊下用ロープＲ１の一方のロープ端Ｒ１ａに連結される。
【００８４】
続いて、旗吊下用ロープＲ１の他方のロープ端Ｒ１ｂ側、及び旗昇降用ロープＲ２の他方のロープ端Ｒ２ｂ側を、上下方向Ａ１の下側に引下げ、又は上下方向Ａ１の上側に引上げる（図１６、図２０及び図２１参照）。
これにより、長方形旗ＦＬは、ポールＰの天端Ｐ１側に掲げられ、又はポールＰの天端Ｐ１側から降ろされる（図１６、図２０及び図２１参照）。
【００８５】
＜第３実施形態＞
第３実施形態の旗保持具について、図２２乃至図２４を参照して説明する。
なお、図２２及び図２４において、図１乃至図１３と同一符号は、同一部材、同一構成であるので、その詳細な説明は省略する。
【００８６】
図２２乃至図２３において、第３実施形態の旗保持具Ｘ３（以下、「旗保持具Ｘ３」という）は、可動筒体１、横竿体２、第１ガイド体１１３、第２ガイド体１１４及び第３ガイド体１１５を備える。
旗保持具Ｘ３において、可動筒体１及び横竿体２は、図１乃至図１０で説明したと同一構成である（第１実施形態の旗保持具Ｘ１と同一構成である）。
【００８７】
第１ガイド体１１３は、図２２及び図２３（ａ）に示すように、上下方向Ａ１において、横竿体２（小径円筒管１２）の下側に配置される。第１ガイド体１１３は、横竿体２の先端部２Ａに取付けられる。
【００８８】
第１ガイド体１１３は、図２２及び図２３（ａ）に示すように、第１ガイド部材１２２を有し、第１ガイド部材１２２で構成される。第１ガイド部材１２２は、例えば、Ｕ字状に形成される。
第１ガイド部材１２２は、横竿体２（小径円筒管１２）の下側に配置される。第１ガイド部材１２２は、各部材端１２２Ａ，１２２Ｂを横梁体２の先端部２Ａに固定する。第１ガイド部材１２２は、横竿体２（小径円筒管１２）の下側間に第１ガイド穴１２５を有する。第１ガイド穴１２５は、横方向Ｂ１に貫通する。
【００８９】
第１ガイド体１１３は、旗吊下用ロープＲ１を横竿体２の先端から第１ガイド穴１２５に摺動自在に挿通し、一方のロープ端Ｒ１ａ側を上下方向Ａ１の下側に折返す。
これにより、第１ガイド体１１３は、旗吊下用ロープＲ１をガイド部材１２２にて、横方向Ｂ１に移動自在に支持する。また、第１ガイド体１１３は、ガイド部材１２２にて、旗吊下用ロープＲ１を上下方向Ａ１に移動自在に支持する。
【００９０】
第２ガイド体１１４は、図２２及び図２３（ｂ）に示すように、上下方向Ａ１において、横竿体２（大径円筒管１１）の下側に配置される。第２ガイド体１１４は、横竿体２の支持側２Ｂ（可動筒体１側）に取付けられる。
【００９１】
第２ガイド体１１４は、図２２及び図２３（ｂ）に示すように、第２ガイド部材１３２を有し、第２ガイド部材１３２で構成される。第２ガイド部材１３２は、第１ガイド部材１２２と同一構成であって、例えば、Ｕ字状に形成される。
第２ガイド部材１３２は、横梁体２（大径円筒筒１１）の下側に配置される。第２ガイド部材１３２は、各部材端１３２Ａ，１３２Ｂを横竿体２の支持側２Ｂ（可動筒体１側）に固定する。第２ガイド部材１３２は、横竿体２（大径円筒管１１）の下側間に第２ガイド穴１３５を有する。第２ガイド穴１３５は、横方向Ｂ１に貫通する。
これにより、第２ガイド体１１４（第１ガイド部材１３２）は、横竿体２の下側に配置される。第２ガイド体１１４は、横方向Ｂ１において、第１ガイド体１１３（第１ガイド部材１２２）に間隔を隔てて配置され、横竿体２の支持側２Ｂ（可動筒体１側）に取付けられる。
【００９２】
第２ガイド体１１４は、第１ガイド部材１２２からの旗吊下用ロープＲ１を第２ガイド穴１３５に摺動自在に挿通し、他方のロープ端Ｒ１ｂ側を上下方向Ａ１の下側に折返す。
これにより、第２ガイド体１１４は、旗吊下用ロープＲ１を第２ガイド部材１３２にて、横方向Ｂ１に移動自在に支持する。また、第２ガイド体１１４は、旗吊下用ロープＲ１を第２ガイド部材１３２にて、上下方向Ａ１に移動自在に支持する。
旗吊下用ロープＲ１は、横方向Ｂ１において、第１及び第２ガイド部材１２２，１３２で支持され、第１ガイド部材１２２から第２ガイド部材１３２に移動され、又は第２ガイド部材１３２から第１ガイド部材１２２に移動される。
また、旗吊下用ロープＲ１は、第１及び第２ガイド部材１２２，１３２にて上下方向Ａ１の下側に折返され、上下方向Ａ１に移動（昇降）される。
【００９３】
第３ガイド体１１５は、図２２及び図２３（ｂ）に示すように、上下方向Ａ１において、横竿体２の下側で横梁体２の支持側２Ｂに配置される。第３ガイド体１１５は、可動筒体１（円筒部材６）に取付けられる。
【００９４】
第３ガイド体１１５は、図２２及び図２３（ｂ）に示すように、第３ガイド部材１４２を有し、第３ガイド部材１４２で構成される。第３ガイド部材１４２は、横梁体２の下側で横梁体２の支持側２Ｂ（可動筒体１側）に配置される。第３ガイド部材１４２は、各部材端１４２Ａ，１４２Ｂを可動筒体１（円筒部材６）に固定する。
第３ガイド部材１４２は、可動筒体１（円筒部材６）間に第３ガイド穴１４５を有する。第３ガイド穴１４５は、上下方向Ａ１に貫通する。
【００９５】
第３ガイド体１１５は、旗昇降用ロープＲ２を上下方向Ａ１の下側から第３ガイド穴１４５に摺動自在に挿通して、一方のロープ端Ｒ２ａを第３ガイド部材１４２の外側から上下方向Ａ１の下側に折返す。旗昇降用ロープＲ２は、第１ガイド穴１４５を挿通して、第３ガイド部材１４２に掛けられる。
これにより、第３ガイド体１１５は、第３ガイド部材１４２にて、旗昇降用ロープＲ２の各ロープ端Ｒ２ａ，Ｒ２ｂ側を上下方向Ａ１の下側に折返して、旗昇降用ロープＲ２を上下方向Ａ１に移動自在（昇降自在）に支持する。
【００９６】
旗保持具Ｘ３は、図１乃至図１３で説明したと同様、旗吊下用ロープＲ１及び旗昇降用ロープＲ２を使用して、長方形旗ＦＬを昇降する（図２２及び図２４参照）。
【００９７】
長方形旗ＦＬにおいて、各角部Ｆ１，Ｆ２は、図１乃至図１３で説明したと同様、各紐Ｈ１，Ｈ２にて、旗昇降用ロープＲ２の結目ＲＭ、及び引上げられるロープ端Ｒ２ｂに連結される（図２２参照）。
長方形旗ＦＬにおいて、対角部Ｆ３は、旗吊下用ロープＲ１の一方のロープ端Ｒ１ａに連結される（図２２参照）。
【００９８】
続いて、旗吊下用ロープＲ１の他方のロープ端Ｒ１ｂ側、及び旗昇降用ロープＲ２の他方のロープ端Ｒ２ｂ側を、上下方向Ａ１の下側に引下げ、又は上下方向Ａ１の上側に引上げる（図２２及び図２４参照）。
これにより、長方形旗ＦＬは、ポールＰの天端Ｐ１側に掲げられ、又はポールＰの天端Ｐ１側から降ろされる。
【００９９】
第３実施形態の旗保持具Ｘ３では、第３ガイド部材１４２を横竿体２に取付けても良い。第３ガイド部材１４２において、各部材端１４２Ａ，１４２Ｂは横竿体２に固定する。
【０１００】
第１乃至第３実施形態の旗保持具Ｘ１〜Ｘ３において、旗昇降両ロープＲ２は、各ロープ端Ｒ２ａ，Ｒ２ｂを結んで、環状ロープにしたものについて説明したが、これに限定されない。旗昇降用ロープＲ２は、各ロープ端Ｒ２ａ，Ｒ２ｂを結ぶことなく、第３ガイド体にて支持しても良く、この場合、一方のロープ端Ｒ２ａに長方形旗を連結し、他方のロープ端Ｒ２ｂ側を上下方向Ａ１の下側に引下げ、又は上下方向Ａ１の上側に引上げることで、長方形旗ＦＬを昇降する。
【産業上の利用可能性】
【０１０１】
本考案は、旗をポールに昇降するのに最適である。
【符号の説明】
【０１０２】
Ｘ１  旗保持具
１  可動筒体
２  横竿体
３  第１ガイド体
４  第２ガイド体
５  第３ガイド体
Ｒ１  旗吊下用ロープ
Ｒ２  旗昇降用ロープ
ＦＬ  長方形旗
【図１】
0003202332.tif 000003
【図２】
0003202332.tif 000004
【図３】
0003202332.tif 000005
【図４】
0003202332.tif 000006
【図５】
0003202332.tif 000007
【図６】
0003202332.tif 000008
【図７】
0003202332.tif 000009
【図８】
0003202332.tif 000010
【図９】
0003202332.tif 000011
【図１０】
0003202332.tif 000012
【図１１】
0003202332.tif 000013
【図１２】
0003202332.tif 000014
【図１３】
0003202332.tif 000015
【図１４】
0003202332.tif 000016
【図１５】
0003202332.tif 000017
【図１６】
0003202332.tif 000018
【図１７】
0003202332.tif 000019
【図１８】
0003202332.tif 000020
【図１９】
0003202332.tif 000021
【図２０】
0003202332.tif 000022
【図２１】
0003202332.tif 000023
【図２２】
0003202332.tif 000024
【図２３】
0003202332.tif 000025
【図２４】
0003202332.tif 000026